(57)【要約】【課題】冒頭に述べた金属パイプ又は中空プロファイルを鋸で切るための方法を提案する。【解決手段】鋸で切られるべき金属パイプ３又は中空プロファイルを載置及び固定するための鋸台２を備えた定置式鋸盤下部ユニット１及び鋸盤下部ユニット１に対して相対可動する、周回式帯鋸５を備えた鋸盤上部ユニット４を有する帯鋸盤によって金属パイプ又は中空プロファイルを鋸で切るための方法であって、周回式帯鋸５は、鋸盤下部ユニット１に対して実施される鋸盤上部ユニット４の送り運動１３によって、金属パイプ３又は中空プロファイルに食い込み、鋸の切り込みのために該ワークを貫いてガイドされる方法において、送り運動１３は、基本的に、重力に反して実施される。【選択図】図１
2017056553.tif 000002
【特許請求の範囲】
【請求項１】
鋸で切られるべき金属パイプ（３）又は中空プロファイルを載置及び固定するための鋸台（２）を備えた定置式鋸盤下部ユニット（１）及び前記鋸盤下部ユニット（１）に対して相対可動する、周回式帯鋸（５）を備えた鋸盤上部ユニット（４）を有する帯鋸盤によって金属パイプ又は中空プロファイルを鋸で切るための方法であって、
周回式帯鋸（５）は、前記鋸盤下部ユニット（１）に対して実施される前記鋸盤上部ユニット（４）の送り運動（１３）によって、前記金属パイプ（３）又は中空プロファイルに食い込み、鋸の切り込みのために該ワークを貫いてガイドされる方法において、
前記送り運動（１３）は、基本的に、重力に反して実施されることを特徴とする方法。
【請求項２】
前記送り運動（１３）は、前記鋸台（２）から出発して、基本的に上方に向かって実施されることを特徴とする、請求項１に記載の方法。
【請求項３】
前記帯鋸（５）は、前記送り運動（１３）が開始される前に、前記鋸台（２）に設けられた凹部内へとガイドされることを特徴とする、請求項２に記載の方法。
【請求項４】
鋸で切られるべき金属パイプ（３）又は中空プロファイルを載置及び固定するための鋸台（２）を備えた定置式鋸盤下部ユニット（１）と、前記鋸盤下部ユニット（１）に対して相対可動する、一連の鋸歯（１２）を具備した周回式帯鋸（５）を備えた鋸盤上部ユニット（４）と、金属パイプ（３）又は中空プロファイルに前記帯鋸（５）の前記鋸歯（１２）を食い込ませ、鋸の切り込みを行うために、前記鋸盤下部ユニット（１）に対して実施される前記鋸盤上部ユニット（４）の送り運動（１３）を発生させる手段とを含んでなる、金属パイプ又は中空プロファイルを鋸で切るための帯鋸盤であって、
前記送り運動（１３）を発生させる前記手段は、重力に抗すると同時に鋸の切り込み時に作用する切断力にも抗して前記鋸盤上部ユニット（４）をリフト又は傾倒させる駆動装置として形成されていることを特徴とする帯鋸盤。
【請求項５】
前記帯鋸（５）は、鋸の切り込みに際して前記鋸歯（１２）が基本的に重力方向とは反対に上向きにされて、前記鋸盤上部ユニット（４）内においてガイドされることを特徴とする、請求項４に記載の帯鋸盤。
【請求項６】
前記鋸盤上部ユニット（４）は、前記帯鋸（５）を鋸の切り込み面内に向けてガイドする帯鋸ガイド（９）を備え、該帯鋸ガイド（９）は、基本的に上向きの前記鋸歯（１２）を具備した前記帯鋸（５）をガイドするために、上方が開放されて形成されていることを特徴とする、請求項４又は５に記載の帯鋸盤。
【請求項７】
前記鋸台（２）は、前記送り運動（１３）の開始前に前記帯鋸（５）をガイドするための凹部を有することを特徴とする、請求項４から６のいずれか一項に記載の帯鋸盤。
【発明の詳細な説明】
【技術分野】
【０００１】
本発明は、帯鋸盤によって金属パイプ又は中空プロファイルを鋸で切るための、請求項１のプリアンブルに記載の方法、及び、金属パイプ又は中空プロファイルを鋸で切るための、請求項４のプリアンブルに記載の帯鋸盤に関する。
【背景技術】
【０００２】
当該方法に使用される上記のタイプの帯鋸盤は、鋸で切られるべき金属パイプ又は中空プロファイルを載置及び固定するための鋸台を備えた定置式鋸盤下部ユニットと、前記鋸盤下部ユニットに対して相対可動する、一連の鋸歯を具備した、いわばエンドレスの鋸で切る運動を実施すべく駆動される周回式帯鋸を備えた鋸盤上部ユニットと、を含んでいる。鋸盤下部ユニットに対して実施される鋸盤上部ユニットの送り運動により、帯鋸は、金属パイプ又は中空プロファイルに食い込むとともに、鋸の切り込みのために該ワークを貫いてガイドされる。
【０００３】
冒頭に述べたタイプの帯鋸盤及び鋸で切るための方法は、従来、たとえば独国特許出願公開第３９２７２７５号明細書、独国特許出願公開第１９８２８５８９号明細書、欧州特許出願公開第１０２９６２３号明細書又は独国特許出願公開第１０２０１３２１０５７３号明細書から知られている。これらの公知の帯鋸盤に共通していることは、鋸で切られるべきワークが鋸台に載置され、そこに固定され、次いで、鋸盤上部ユニットが旋回運動又は直線運動によって鋸盤下部ユニットに向かって可動され、こうして、駆動された帯鋸もワークに向かって可動されて、鋸歯がワークに食い込み、最終的に鋸の切り込みが遂行されるという点である。鋸歯が鋸台面に達すると、鋸の切り込みは完了し、ワークは完全に切り離される。
【０００４】
鋸盤上部ユニットは、周回式帯鋸用の駆動装置及び帯鋸用のガイド手段、通例、二つ以上の回転輪を含み、鋸の切り込み時の高切断力のために、安定的かつ堅牢に形成されていなければならないゆえに、このタイプの帯鋸盤の鋸盤上部ユニットはかなりの重量を有している。したがって、送り運動を基本的に鋸盤上部ユニットの重力によって発生させ、制動対策によって同運動を制御するのが通例である。新たな鋸の切り込みに向けて帯鋸盤の態勢を整えるために、たとえば油圧式駆動装置によって鋸盤上部ユニットがリフトされる場合には、送り運動は油圧式駆動装置からの作動油の排出によって発生させることができ、その際、該運動は作動油の体積流量の絞りによって調節することが可能である。
【０００５】
円筒形又は多角形断面を有する金属パイプ又は中空プロファイルを鋸で切る際には、鋸の切り込み時に発生する鋸屑の一部が金属パイプ又は中空プロファイルの内部に落ち込んで同所に溜り、場合により、鋸の切り込み中に同所に集積するという問題が生ずる。今や鋸の切り込みが進行して、金属パイプ内又は中空プロファイル内に落下した鋸屑が溜まった領域に帯鋸が食い込むと、通過する帯鋸の鋸歯によってこれらの鋸屑が連行されることがある。鋸歯が、金属パイプ又は中空プロファイルの内部空間を通過した後、再びそれらワークの壁面に食い込み進入する箇所では、こうして連行された鋸屑が問題を引き起こすことがある。というのもその場合、金属パイプ又は中空プロファイルの壁面へ再び食い込む時に鋸屑が鋸歯によって鋸の切り込み路に一緒に引き込まれるからである。これにより、金属パイプ又は中空プロファイルの切断面の品質は著しく悪化すると同時に、帯鋸の摩耗が高まることになる。鋸歯に超硬チップが付されていれば、かくて、超硬チップの欠損がもたらされることがある。
【０００６】
こうした問題を解決しようとする従来の多様な試みの基本は、金属パイプ又は中空プロファイルの内部空間に落下した鋸屑を連続的又は周期的に取り除くことである。そのため、落ち込んできた鋸屑を外へ押し流すために、金属パイプ又は中空プロファイルに、たとえば液体、特に、油−水エマルジョンが流し込まれる。ただし、これには、自由に得られると同時に、特に、再び回収されなければならない、比較的大量の液体が必要である。しかしながら、帯鋸盤は通例、少なくとも後者のような処理向けには設計されていない。こうした処理と結び付いた高コストの浄化対策及び液体の準備供与は運転コストを著しく高めることになる。
【０００７】
さらに別途の試みは、金属パイプ又は中空プロファイルの内部に落下した鋸屑を連続的又は周期的に圧縮空気によって吹き飛ばすことである。ただし、この方法も、吹き飛ばされた鋸屑が帯鋸盤のうちの浄化困難な領域に達したり又は鋸屑から保護されなければならない領域に達したりするために、短所を免れることはできない。加えてさらに、鋸で切られるべきワークの長さ次第で、鋸の切り込み箇所に圧縮空気を作用させることが困難となることがある。というのも、圧縮空気は金属パイプないし中空プロファイルの内部で作用しなければならないことから、時として、取扱い及びポジショニングが相応して困難な、比較的長い噴射ランスが必要となるからである。
【０００８】
また、金属パイプ又は中空プロファイルの内部に落下した鋸屑を吸引する方法は、この場合にも、吸引口を金属パイプ又は中空プロファイルの内部で鋸の切り込み箇所に接近させなければならないために、上記と同様な短所を有している。加えてさらに、真空をつくり出すための当該装置と、吸引した鋸屑を捕集する装置が必要である。
【先行技術文献】
【特許文献】
【０００９】
【特許文献１】独国特許出願公開第３９２７２７５号明細書
【特許文献２】独国特許出願公開第１９８２８５８９号明細書
【特許文献３】欧州特許出願公開第１０２９６２３号明細書
【特許文献４】独国特許出願公開第１０２０１３２１０５７３号明細書
【発明の概要】
【発明が解決しようとする課題】
【００１０】
上記の従来の技術から出発して、本発明の目的は、上記の問題を回避することのできる、冒頭に述べた金属パイプ又は中空プロファイルを鋸で切るための方法及び帯鋸盤を提案することである。
【課題を解決するための手段】
【００１１】
上記目的は、請求項１に記載の特徴を有する方法及び請求項４に記載の特徴を有する帯鋸盤によって解決される。本発明による方法の好ましい発展態様は請求項２及び３に記載したとおりである。本発明による帯鋸盤の有利な態様は請求項５から７に記載したとおりである。
【００１２】
したがって、従来の技術において金属パイプ又は中空プロファイルを鋸で切る際に発生する問題は、本発明により、基本的に重力の方向とは反対の方向に実施される送り運動によって鋸で切られることにより取り除かれる。したがって、本発明による帯鋸盤は、重力に抗すると同時に鋸の切り込み時に作用する切断力に抗して鋸盤上部ユニットを持ち上げる駆動装置を具備して形成されている。一般に、こうした構成において、帯鋸は、鋸の切り込みに際して鋸歯が基本的に重力方向とは反対に上向きにされて、鋸盤上部ユニット内においてガイドされるため、送り運動は、鋸台から出発して、基本的に上方に向かって実施されることができる。
【００１３】
本発明との関連において、「基本的に上方に向かってないし重力に反して」なる表現が意味するところは、鋸の切り込みに際して帯鋸は、相応する送り運動方向が上記のようにして実施されるために、それが金属パイプ又は中空プロファイルの内部空間への進入に際して、該内部空間のうち、落下した鋸屑が集積する領域を最初に通過するということである。かくて、この時点には、鋸屑はまだ存在していないか、又は僅かな最初の鋸屑が存在しているだけにすぎず、他方、鋸の切り込みがさらに進行するにつれて、この領域はもはや帯鋸の鋸歯によって通過されることはない。それゆえ、送り運動は必ずしもまっすぐ上方に向けられている必要はない。つまり、本発明の範囲にあっては、重力に抗して上方に向けられた送り運動の方向成分が存在するとともに、金属パイプ又は中空プロファイルの内部空間のうち、鋸屑が集積する領域が鋸の切り込み初期に直ちに通過されることが明白な特徴とされていれば十分なのである。
【００１４】
したがって、本発明によれば、通例、金属パイプ又は中空プロファイルの下部領域が最初に鋸で切られ、その際、鋸の進行は基本的に下から上へ向かって実施される。鋸の切り込みの初期には、当然、金属パイプ又は中空プロファイルの内部には鋸屑はまだ存在していない。鋸の切り込みがさらに進行するにつれて発生する鋸屑は、その後、一部が金属パイプ又は中空プロファイルの内部空間に落下し、同所に集積する。しかしながら、帯鋸の送り運動が重力に反した方向に向けて実施されるために、鋸歯は、早くも鋸の切り込みの初期に、上方へ向かってこの領域から離れてゆく。つまり、帯鋸は、鋸屑の集積した領域から抜け出ることになる。したがって、これらの鋸屑は、鋸の切り込みがさらに進行すると、もはや支障とはならないために、鋸屑を押流し又は吹き飛ばすための高コストの対策は不要である。
【００１５】
通例、金属パイプ又は中空プロファイルにおいて鋸屑がそれらの内部空間に集積する領域は、鋸台の近傍の、金属パイプないし中空プロファイルの最下点に位置している。したがって、本発明によれば、送り運動は、鋸台から出発して、基本的に上方に向かって実施される。かくて、それには、帯鋸は、送り運動の開始される前に、鋸台に設けられた凹部内へとガイドされるのが好適である。なぜなら、この場合、帯鋸は、鋸台のワーク載置面の下側から、金属パイプないし中空プロファイルに接近しなければならないからである。
【００１６】
本発明による帯鋸盤の鋸盤上部ユニットは、好ましくは、それ自体公知のように、帯鋸を鋸の切り込み面内に向けてガイドする帯鋸ガイドを備えている。鋸の切り込みのための送り運動が基本的に重力に抗して実施される本発明によれば、該帯鋸ガイドは、上向きの鋸歯を具備した帯鋸をガイドするために、上方が開放して形成されていることが好適である。
【００１７】
本発明による帯鋸盤の帯鋸が下方から金属パイプ又は中空プロファイルに接近することを可能にすべく、鋸台は、送り運動の開始前に帯鋸をガイドするための凹部を有していることが好ましい。
【００１８】
以下に本発明を、添付図面を参照し、具体的な一実施形態を例示して説明する。各図は以下を示している。
【図面の簡単な説明】
【００１９】
【図１】帯鋸盤の概略図である。
【図２】従来の技術による鋸プロセス時の、金属パイプの載置された鋸台の概略的な正面図である。
【図３】本発明による鋸プロセス時の、図２と同じ図である。
【発明を実施するための形態】
【００２０】
図１に概略的に示した帯鋸盤は、鋸盤下部ユニット１と、その上に取り付けられた、鋸で切られるべき金属パイプ３用の鋸台２と、鋸盤下部ユニット１に向かって可動する鋸盤上部ユニット４とを含んでいる。鋸盤上部ユニット４において、帯鋸５が二つの回転輪６の周りをエンドレスに周回する。切断領域７において、帯鋸５は、ハウジング８の外側を走り、同所において、切断領域７の左右に配置された二つの帯鋸ガイド９によってガイドされる。これらの帯鋸ガイド９により、帯鋸５は、回転輪６の周りを周回する際の水平な姿勢から、切断領域７における垂直な姿勢に転向される。鋸盤上部ユニット４は、コラムガイド１０に着座支保されて、鋸盤下部ユニット１に対して上下に可動する。
【００２１】
図２は従来の鋸プロセス、したがって、従来の技術による金属パイプ３の鋸で切る方法を示している。この場合、運動方向１１に向かって駆動されている帯鋸５は、上方から、鋸歯１２が金属パイプ３に食い込むまで、金属パイプ３に向かって下降される。上方から下方に向かう送り運動１３により、帯鋸５は、鋸台２を終端とする鋸の切り込み面で、金属パイプ３を切断する。
【００２２】
鋸の切り込み中に、鋸屑１４は、鋸歯１２から下方に向かって落下する。図２からわかるように、これらの鋸屑は一部が金属パイプ３の外側で鋸台２上に落下するが、一部は金属パイプ３の内部空間１５内にも落下して、該金属パイプの下部領域に集積する。
【００２３】
図２からわかるように、帯鋸５は鋸プロセスが進行するにつれて下方へ向かい、その際、最終的には、金属パイプ３の内部空間１５のうち、鋸屑１４が集積した領域に達する。この点で、帯鋸５の鋸歯１２は、集積した鋸屑１４を連れて、それを金属パイプ３の鋸の切り込み路内に引き込むために、同所において切断面の品質が悪化し、鋸歯１２が損傷をこうむる危険、またそうでないにしても、少なくとも鋸歯の摩耗が増進するという問題が発生する。ところで、こうした事態の発生は、鋸屑１４の押流し又は吹き飛ばしによるか、または鋸盤の停止時の人力による浄化によって防止することが可能である。
【００２４】
図３は、図２と同様の図解によって、本発明による方法と従来の技術との決定的な違いを示している。同図に示したように、送り運動１３は反対向きであるために、該運動は下方から上方へ向かって実施される。これに応じて、帯鋸５も帯鋸ガイド９により鋸歯１２が通例のように下を向くように転向されるのではなく、図示したように、鋸歯１２が上を向き、鋸台２とは逆方向、つまり、重力の方向とは反対の方向を向くように転向される。
【００２５】
本発明によれば、鋸の切り込みは下方から上方へ向かって実施されるために、帯鋸５の鋸歯１２は、まず、下側から金属パイプ３の最下領域に食い込んで、鋸の切り込み中、該領域を鋸で切る。これによれば、まず、鋸屑１４が金属パイプ３の内部空間に落下することはあり得ない。鋸の切り込みが進行して、帯鋸５が金属パイプ３の内部空間を通過するようになると直ちに、鋸歯１２は送り運動１３の方向において、金属パイプ３の内部空間１５内に鋸屑１４が集積し得る領域から上方に向かって抜け出ることになる。したがって、帯鋸５が、金属パイプ３に再び食い込む際に、鋸の切り込み路内に鋸屑１４を引き込み連行することはあるが、せいぜいごく短時間にすぎない。図３に示した状況においてすでに、こうした危険はもはやない。落下して金属パイプ３の内部に集積する鋸屑１４は、鋸の切り込みがさらに進行すれば、もはや支障とはならず、したがって、コストをかけて除去される必要はない。
【００２６】
ここで、本発明による送り運動方向は、特に、非円筒形の断面を有する金属パイプ又は中空プロファイルが鋸で切られる場合には、本発明の範囲を逸脱することなく、実施例に示した垂直方向とは相違することが可能である旨、再度付記しておくこととする。重要なのは、それぞれ金属パイプないし中空プロファイルの内部空間のうち、鋸の切り込みに際して落下する鋸屑が集積し得る領域が、基本的に、鋸の切り込みの初期に、したがって、最初の鋸屑が内部空間に落下する際に、早くも帯鋸の鋸歯によって通過されるという点のみである。
【図１】
2017056553.tif 000003
【図２】
2017056553.tif 000004
【図３】
2017056553.tif 000005